(57)【要約】    【課題】      フレーム構成を簡素化すると共に、伝送効率を向上させるマルチキャリア送信装置、マルチキャリア受信装置及び同期検出方法を提供すること。    【解決手段】  同相・逆相シンボル生成部１０１では、隣り合うサブキャリアに配置されるパイロットシンボルの位相が同相であるか逆相であるかに応じた同相・逆相シンボルで表すと共に、この同相・逆相シンボルに予めスクランブルコードグループが対応付けられ、乗算部１０４では、隣り合う２本ずつのサブキャリアを一組とする同相・逆相シンボルに同一のスクランブルコードが乗算される。多重化部１０６及びフレーム組み立て部１０７では、１シンボルのＰＬＣＨが１フレーム中に配置される。  【選択図】      図１
2006074493.tif 000002
【特許請求の範囲】
【請求項１】
複数のサブキャリアを用いて送信するマルチキャリア送信装置であって、
隣り合うサブキャリアに配置されるパイロットシンボルの位相が同相か逆相かに応じ、かつ、セルを識別するスクランブルコードが予めグループ分けされたグループを示す同相・逆相シンボルパターンを生成する同相・逆相シンボル生成手段と、
隣り合う２本を１組とするサブキャリアに配置される同相・逆相シンボルを同一のスクランブルコードでスクランブルするスクランブル手段と、
前記スクランブル手段によってスクランブルされたパイロットシンボルを有するマルチキャリア信号を送信する送信手段と、
を具備することを特徴とするマルチキャリア送信装置。
【請求項２】
前記スクランブル手段は、データシンボルのスクランブルコードとは異なるスクランブルコードをセルサーチ用パイロットシンボルに用いることを特徴とする請求項１に記載のマルチキャリア送信装置。
【請求項３】
隣り合うサブキャリアに配置されるパイロットシンボルの位相が同相か逆相かに応じ、かつ、セルを識別するスクランブルコードが予めグループ分けされたグループを示す同相・逆相シンボルパターンが、隣り合う２本を１組とするサブキャリア毎に同一のスクランブルコードでスクランブルされたマルチキャリア信号を受信する受信手段と、
隣り合うサブキャリア間で相関をとる第１相関手段と、
前記第１相関手段によって得られた相関値とスクランブルコードグループとの相関をとる第２相関手段と、
前記第２相関手段によって得られた最大相関値に基づいて、スクランブルコードグループの同定及びフレームタイミングの検出を行う同定及び検出手段と、
を具備することを特徴とするマルチキャリア受信装置。
【請求項４】
隣り合うサブキャリアに配置されるパイロットシンボルの位相が同相か逆相かに応じ、かつ、セルを識別するスクランブルコードが予めグループ分けされたグループを示す同相・逆相シンボルパターンが、隣り合う２本を１組とするサブキャリア毎に同一のスクランブルコードでスクランブルされたマルチキャリア信号を受信する受信工程と、
隣り合うサブキャリア間で相関をとる第１相関工程と、
前記第１相関工程で得られた相関値とスクランブルコードグループとの相関をとる第２相関工程と、
前記第２相関工程で得られた最大相関値に基づいて、スクランブルコードグループの同定及びフレームタイミングの検出を行う同定及び検出工程と、
を具備することを特徴とする同期検出方法。
【発明の詳細な説明】
【技術分野】
【０００１】
本発明は、マルチキャリア送信装置、マルチキャリア受信装置及び同期検出方法に関する。
【背景技術】
【０００２】
近年、無線通信、特に移動体通信では、音声以外に画像やデータなどの様々な情報が伝送の対象になっている。今後は、多様なコンテンツの伝送に対する需要がますます高くなることが予想されるため、高信頼かつ大容量で高速な伝送に対する必要性がさらに高まることが予想される。しかしながら、移動体通信において高速伝送を行う場合、マルチパスによる遅延波の影響が無視できなくなり、周波数選択性フェージングにより伝送特性が劣化する。
【０００３】
そこで、周波数選択性フェージング対策技術の一つとして、ＯＦＤＭ（Orthogonal Frequency Division Multiplexing）方式などのマルチキャリア（ＭＣ）変調方式が注目されている。マルチキャリア変調方式は、周波数選択性フェージングが発生しない程度に伝送速度が抑えられた複数の搬送波（サブキャリア）を用いてデータを伝送することにより、結果的に高速伝送を行う技術である。特に、ＯＦＤＭ方式は、データが配置される複数のサブキャリアが相互に直交しているため、マルチキャリア変調方式の中で最も周波数利用効率が高い方式であり、また、比較的簡単なハードウエア構成で実現できることから、とりわけ注目されている。
【０００４】
また、周波数選択性フェージング対策の別の技術として、ＣＤＭＡ（Code Division Multiple Access）方式などのスペクトル拡散方式がある。特に、ＣＤＭＡ方式は、各ユーザの情報を各ユーザに固有の拡散符号で周波数軸上に直接拡散して拡散利得を得ることによって耐干渉性を高める技術であり、移動体通信において、現在、既に実用化されている。
【０００５】
そして、最近、より高速な伝送を実現するためのアクセス方式として、ＯＦＤＭ方式とＣＤＭＡ方式を組み合わせた方式（ＭＣ（マルチキャリア）−ＣＤＭＡ方式ともＯＦＤＭ−ＣＤＭＡ方式とも呼ばれるが、ここでは「マルチキャリアＣＤＭＡ方式」と呼ぶことにする）が特に注目されている。なお、マルチキャリアＣＤＭＡ方式には、大別して、拡散後のチップが各サブキャリアにおいて時間軸上に配置される時間方向拡散と、拡散後のチップが各時間において周波数軸上に配置される周波数方向拡散とがある。前者の場合、パスダイバーシチ効果は得られるが、周波数ダイバーシチ効果は得られず、逆に、後者の場合、周波数ダイバーシチ効果は得られるが、パスダイバーシチ効果は得られない。
【０００６】
ここで、周波数方向拡散を行うマルチキャリアＣＤＭＡ方式について簡単に説明する。マルチキャリアＣＤＭＡ方式では、信号が複数の搬送波（サブキャリア）に分配して送信される。具体的には、送信信号が拡散符号により周波数方向に拡散され、コード多重される。コード多重された信号は、サブキャリア数分の並列信号にシリアル／パラレル変換される。
【０００７】
また、マルチキャリアＣＤＭＡ方式では、各サブキャリアが直交信号になるようにＯＦＤＭ変調される。すなわち、シリアル／パラレル変換後の並列信号は、ＩＦＦＴ処理を経て送信される。ＩＦＦＴ処理により、ＯＦＤＭ信号は、各サブキャリア間で信号が直交した状態を保つことができる。ここで、信号が直交するとは、あるサブキャリアの信号のスペクトルが他の周波数の信号に影響を与えないことを意味する。ＯＦＤＭ変調を行う際は、ＯＦＤＭシンボルにガードインターバルを挿入する。ガードインターバルの挿入により、ガードインターバル長よりも短い遅延波しか存在しない場合、各サブキャリア間の直交性を保つことが可能になる。
【０００８】
このようなマルチキャリアＣＤＭＡ方式におけるセルサーチ法として、例えば、特許文献１に記載された技術が知られている。以下、特許文献１に記載された３段階セルサーチ方法について説明する。
【０００９】
３段階セルサーチの第１段階では、シンボル境界が検出される。これは、例えば、ガードインターバル区間と有効シンボル区間から生じる相関値のピークを検出することにより行われる。
【００１０】
次に、第２段階では、フレーム境界の検出とスクランブルコードグループの検出が同時に行われる。すなわち、フレーム境界を検出するため、図７に示すように、フレーム先頭とフレーム末尾に付加されたＰＬＣＨを用いて相関をとる。ここで、フレーム先頭とフレーム末尾の基本パターンは同じものとし、フレーム先頭又はフレーム末尾のＰＬＣＨには、スクランブルコードグループを識別するための位相差を設けてスクランブルコードが乗算されている。
【００１１】
第２段階の具体的な処理としては、隣接シンボル間で相関をとりながら、既知のスクランブルコードグループに対応させて位相シフトを行ったスクランブルコードの相関値を取得する。そして、最大の相関値が得られる位置とスクランブルコードグループとを同時に検出する。
【００１２】
そして、第３段階では、第２段階で検出されたスクランブルコードグループの中からスクランブルコードが検出される。
【特許文献１】特開２００３−２４４７６３号公報
【発明の開示】
【発明が解決しようとする課題】
【００１３】
しかしながら、特許文献１に記載されたセルサーチ方法では、セルサーチ用のパイロットシンボルを１フレーム当たりに最低２シンボル必要となり、伝送効率が低下する要因となっている。
【００１４】
本発明はかかる点に鑑みてなされたものであり、フレーム構成を簡素化すると共に、伝送効率を向上させるマルチキャリア送信装置、マルチキャリア受信装置及び同期検出方法を提供することを目的とする。
【課題を解決するための手段】
【００１５】
本発明のマルチキャリア送信装置は、複数のサブキャリアを用いて送信するマルチキャリア送信装置であって、隣り合うサブキャリアに配置されるパイロットシンボルの位相が同相か逆相かに応じ、かつ、セルを識別するスクランブルコードが予めグループ分けされたグループを示す同相・逆相シンボルパターンを生成する同相・逆相シンボル生成手段と、隣り合う２本を１組とするサブキャリアに配置される同相・逆相シンボルを同一のスクランブルコードでスクランブルするスクランブル手段と、前記スクランブル手段によってスクランブルされたパイロットシンボルを有するマルチキャリア信号を送信する送信手段と、を具備する構成を採る。
【００１６】
この構成によれば、スクランブルコードが予めグループ分けされたグループを示す同相・逆相シンボルをパイロットシンボルとして、隣り合う２本を１組とするサブキャリア毎に同一のスクランブルコードでスクランブルすることにより、１フレーム中に１シンボルのパイロットチャネルで受信側においてセルサーチを行うことができるので、パイロットチャネルに割り当てるシンボル数を削減することができ、フレーム構成を簡素化すると共に、伝送効率を向上させるができる。
【００１７】
本発明のマルチキャリア受信装置は、隣り合うサブキャリアに配置されるパイロットシンボルの位相が同相か逆相かに応じ、かつ、セルを識別するスクランブルコードが予めグループ分けされたグループを示す同相・逆相シンボルパターンが、隣り合う２本を１組とするサブキャリア毎に同一のスクランブルコードでスクランブルされたマルチキャリア信号を受信する受信手段と、隣り合うサブキャリア間で相関をとる第１相関手段と、前記第１相関手段によって得られた相関値とスクランブルコードグループとの相関をとる第２相関手段と、前記第２相関手段によって得られた最大相関値に基づいて、スクランブルコードグループの同定及びフレームタイミングの検出を行う同定及び検出手段と、を具備する構成を採る。
【００１８】
この構成によれば、隣り合うサブキャリアに配置されるパイロットシンボルの位相が同相か逆相かに応じ、かつ、セルを識別するスクランブルコードが予めグループ分けされたグループを示す同相・逆相シンボルパターンが、隣り合う２本を１組とするサブキャリア毎に同一のスクランブルコードでスクランブルされたマルチキャリア信号からスクランブルコードグループの同定及びフレームタイミングの検出を行うことができる。
【発明の効果】
【００１９】
本発明によれば、フレーム構成を簡素化すると共に、伝送効率を向上させるマルチキャリア送信装置、マルチキャリア受信装置及び同期検出方法を提供することができる。
【発明を実施するための最良の形態】
【００２０】
以下、本発明の実施の形態について、図面を参照して詳細に説明する。
【００２１】
（実施の形態）
図１は、本発明の実施の形態に係るマルチキャリア送信装置１００の構成を示すブロック図である。この図において、同相・逆相シンボル生成部１０１は、隣り合うサブキャリアに配置されるパイロットシンボルの位相が同相であるか逆相であるかに応じてシンボルを生成する。例えば、同相であれば(１，１)を、逆相であれば(１，−１)を生成する。生成されたシンボルは乗算器１０４に出力される。
【００２２】
スクランブルコード生成部１０２は、セルを識別するためのスクランブルコードを生成し、生成したコードをコピー部１０３に出力する。コピー部１０３は、スクランブルコード生成部１０２で生成されたスクランブルコードをコピーして、乗算器１０４に出力する。すなわち、同一のスクランブルコードを複数（ここでは２個）出力する。
【００２３】
乗算器１０４は、同相・逆相シンボル生成部１０１で生成された同相・逆相シンボルにコピー部１０３から出力されたスクランブルコードを乗算することにより、隣り合う２本ずつのサブキャリアのスクランブルコードを同一にするようにスクランブルを行う。スクランブルされたＰＬＣＨは多重化部１０６に出力される。
【００２４】
送信処理部１０５は、送信データに符号化、変調、拡散、スクランブルといった送信処理を行い、送信処理した送信データを多重化部１０６に出力する。
【００２５】
多重化部１０６は、乗算器１０４から出力されたＰＬＣＨ（パイロット信号）と、送信処理部１０５から出力されたＴＣＨ（送信データ）とを時間的に切り替えて、フレーム組み立て部１０７に出力する。
【００２６】
フレーム組み立て部１０７は、多重化部１０６から出力された信号を周波数軸上及び時間軸上の所定の位置に配置する（フレームの組み立て）。組み立てられたフレームは、ＩＦＦＴ(Inverse Fast Fourier Transform)部１０８に出力される。
【００２７】
ＩＦＦＴ部１０８は、フレーム組み立て部１０７から出力されたフレーム（送信信号）を逆高速フーリエ変換して周波数領域から時間領域に変換し、ＧＩ（ガードインターバル）挿入部１０９に出力する。
【００２８】
ＧＩ挿入部１０９は、遅延に対する特性を改善するために、ＩＦＦＴ部１０８の出力信号にガードインターバルを挿入する。ガードインターバルは、シンボル毎に、有効シンボル区間の末尾を該当シンボルの先頭にコピーして挿入することで実現される。
【００２９】
ガードインターバルが挿入された信号は、無線送信部１１０で、アップコンバートなどの無線処理が施された後、アンテナ１１１から無線送信される。
【００３０】
マルチキャリア送信装置１００から送信される信号のフレーム構成は、周波数軸（ｆ）と時間軸（ｔ）とを用いて２次元で示すと、図２のように、Ｐシンボルを１フレームとして、フレーム先頭にセルサーチ用のＰＬＣＨが１シンボル配置され、チャネル推定用パイロットなどを含むＴＣＨがＰ−１シンボル配置される。これにより、セルサーチ用のＰＬＣＨを複数シンボル必要とせず、１シンボルだけ確保して、残りをＴＣＨに割り当てることができるので、伝送効率を向上させることができる。
【００３１】
ここで、ＰＬＣＨのスクランブルコードパターンとパイロットシンボルパターンについて図３を用いて説明する。図３では、パイロットシンボルパターンをＳ（１）、Ｓ（１）、−Ｓ（２）、Ｓ（２）、−Ｓ（３）、Ｓ（３）、…、Ｓ（Ｍ／２）、Ｓ（Ｍ／２）とする（ただし、Ｍは全サブキャリア数を示す）。そして、隣り合う２本のサブキャリアが同相又は逆相のデータパターンで構成される。また、この同相・逆相シンボルパターンには予めコードグループが対応付けられている。例えば、コードグループ０を示すパターンが０１１００・・で表される場合は、順に、（１，１）、（１、−１）（１、−１）、（１，１）、（１，１）・・のようなパイロットシンボルパターンとなる。
【００３２】
また、ＰＬＣＨのスクランブルコードパターンは、隣り合う２本のサブキャリアに配置されるパイロットシンボルに同一のスクランブルコードを乗算することにより形成される。また、ＰＬＣＨのスクランブルコードは、ＴＣＨのスクランブルコードと異なり、半分のコード長となっている。
【００３３】
本発明の実施の形態に係るマルチキャリア受信装置１５０は、図４に示すように、マルチキャリア送信装置１００から無線送信された信号をアンテナ１５１で受信して、受信した信号を無線受信部１５２に出力する。
【００３４】
無線受信部１５２は、アンテナ１５１で受信された信号に対してダウンコンバートなどの所定の無線処理を施す。無線処理が施された信号はＡ／Ｄ変換部１５３に出力される。
【００３５】
Ａ／Ｄ変換部１５３は、無線受信部１５２から出力されたアナログ信号をディジタル信号に変換し、ディジタル信号をセルサーチ部１５４及びＧＩ除去部１５５に出力する。
【００３６】
セルサーチ部１５４は、Ａ／Ｄ変換部１５３から出力された信号からＦＦＴ（Fast Fourier Transform）開始タイミングの検出、フレームタイミングの検出、コードグループの同定、及び、スクランブルコードの同定を行うことにより、セルサーチを行う。検出されたＦＦＴ開始タイミングはＧＩ除去部１５５に通知され、また、検出されたフレームタイミング及び同定されたスクランブルコードがデスクランブル部１５７に通知される。セルサーチ部１５４の詳細について後述する。
【００３７】
ＧＩ除去部１５５では、セルサーチ部１５４から通知されたＦＦＴ開始タイミングに基づいて、Ａ／Ｄ変換後データからガードインターバルが除去され、ガードインターバル除去後データがＦＦＴ部１５６に出力される。
【００３８】
ＦＦＴ部１５６は、ガードインターバルが除去されたデータにＦＦＴ処理を行い、フレームをシンボル系列に分離する。シンボル系列に分離された信号はデスクランブル部１５７に出力される。デスクランブル部１５７は、セルサーチ部１５４で同定されたスクランブルコードを用いて、ＦＦＴ部１５６で分離されたシンボル系列をデスクランブルする。デスクランブルされた信号はチャネル推定部１５８及び回線補償部１５９に出力される。
【００３９】
チャネル推定部１５８はデスクランブルされた信号を用いてチャネル推定を行い、回線補償部１５９はチャネル推定結果を用いてデスクランブルされた信号の回線補償を行う。そして、順次、逆拡散部１６０で、送信時と同じ拡散コードを用いて受信データを逆拡散し、ディジタル復調部１６１で、逆拡散後の受信データを復調して、所望の受信データを取得する。
【００４０】
図４に示すセルサーチ部１５４の内部構成は、図５に示すように、ＧＩ相関部１７１がＡ／Ｄ変換後データからガードインターバル区間と有効シンボル区間の末尾の部分を有効シンボル区間長にわたり相関値を検出し、最大相関値を検出したタイミングをＦＦＴ開始タイミングとしてＧＩ除去部１５５及び１７２に通知する。ＧＩ除去部１７２はＧＩ除去部１５５と同様の処理が行われ、ＦＦＴ部１７３はＦＦＴ部１５６と同様の処理が行われ、ＦＦＴ処理された信号サブキャリア相関部１７４及びスクランブルコード同定部１７５に出力される。
【００４１】
サブキャリア相関部１７４は、ＦＦＴ部１７３で分離されたシンボル系列の隣り合うサブキャリア間で相関をとり、得られた相関値とコードグループ間とでさらに相関をとる。これにより得られた相関値に基づいて、フレームタイミングの検出及びコードグループの同定を行う。検出されたフレームタイミングと同定されたグループコードはスクランブルコード同定部１７５に通知される。なお、サブキャリア相関部１７４の詳細について後述する。
【００４２】
スクランブルコード同定部１７５には、全てのスクランブルコードがスクランブルコードグループに対応付けて記憶されており、サブキャリア相関部１７４で同定されたスクランブルコードグループの中に含まれるスクランブルコード毎に、時間多重されたＰＬＣＨを用いて相関値を検出し、最大相関値を検出したスクランブルコードを同定する。
【００４３】
図５に示すサブキャリア相関部１７４の内部構成は、図６に示すように、ＦＦＴ部１７３で分離されたシンボルが遅延部１８１で１サブキャリア分遅延され、複素乗算部１８２でＦＦＴ部１７３から出力されたシンボルと１サブキャリア分遅延されたシンボルの複素数とを乗算し、２サブキャリアで１つの乗算結果を相関部１８３に出力する。
【００４４】
相関部１８３は、相関器１〜Cmax（Cmaxは全コードグループ数）を備えており、各相関器にはコードグループがそれぞれ対応付けられており、相関器１〜Cmaxは、対応付けられたコードグループと複素乗算結果との相関をそれぞれとり、得られた相関値をコードグループ同定・フレームタイミング検出部１８４に出力する。
【００４５】
コードグループ同定・フレームタイミング検出部１８４は、相関器１〜Cmaxから１フレームにわたる相関値を取得し、最大相関値を検出する。検出された最大相関値のタイミングをフレームタイミングとし、また、最大相関値が得られたコードグループを送信されたコードグループであると同定する。
【００４６】
次に、サブキャリア相関部１７４における処理について式を用いて説明する。まず、時刻ｘ、第ｍサブキャリアにおける受信信号Ｒ（ｘ，ｍ）は、以下に示す式で表される。
【数１】
2006074493.tif 000003
【００４７】
ｆ（ｘ，ｍ）は時刻ｘ、第ｍサブキャリアにおける伝搬路ベクトルであり、Ｃ（ｘ，ｍ）は時刻ｘ、第ｍサブキャリアにおけるスクランブルコードであり、Ｓ（ｘ，ｍ）は時刻ｘ、第ｍサブキャリアにおける周波数方向の送信シンボルである。なお、背景雑音成分は無視するものとする。
【００４８】
複素乗算部１８２では、上記受信信号Ｒ（ｘ，ｍ）に対して、以下の処理が行われる。ただし、ｎは１＜＝ｎ＜＝Ｍ／２とする。
【数２】
2006074493.tif 000004
【００４９】
ここで、隣り合うサブキャリア同士の伝搬路が等しく、ｆ（ｘ、２ｎ−１）＝ｆ（ｘ、２ｎ）と仮定できるとすると、上式（２）は以下のように表される。
【数３】
2006074493.tif 000005
【００５０】
送信シンボルＳ（ｘ，２ｎ−１）及びＳ（ｘ，２ｎ）は、上述したように、同相又は逆相のパターンであるため、ｙ（ｘ，ｎ）が１であれば同相であり、ｙ（ｘ，ｎ）が−１であれば逆相であることが分かる。すなわち、同相・逆相シンボルが分かる。同相・逆相シンボルは予めコードグループと対応付けられているので、ｙ（ｘ，ｎ）はコードグループを示していることになる。
【００５１】
ここで、さらにｙ（ｘ，ｎ）とコードグループｚ（ｎ，ｃ（ｃ：コードグループ番号））との相関を相関部１８３でとり、コードグループｃの時刻ｘにおける相関値ｏ（ｘ，ｃ）を求める。このときの処理は以下のように表される。
【数４】
2006074493.tif 000006
【００５２】
これによりコードグループｃの時刻ｘにおける相関値が求められるので、全コードグループCmaxに対して同様の処理を行い、相関値を求める。そして、１フレームにわたる相関値を求め、求めた相関値のうち最大相関値を検出すれば、そのタイミングにＰＬＣＨが配置されていることが分かり、図２に示すフレーム構成からも分かるように、フレームタイミングを検出することができる。また、最大相関値が検出されたコードグループが送信されたコードグループであると同定することができる。
【００５３】
このように本実施の形態によれば、隣り合うサブキャリアに配置されるパイロットシンボルをその位相が同相であるか逆相であるかに応じた同相・逆相シンボルで表すと共に、この同相・逆相シンボルに予めスクランブルコードグループを対応付け、さらに、隣り合う２本のサブキャリアを一組とする同相・逆相シンボルに同一のスクランブルコードを乗算したＰＬＣＨを１フレーム中に１シンボル配置し、このようなＰＬＣＨを有するマルチキャリア信号を受信した受信側において、隣り合うサブキャリア間で相関をとり、得られた相関値とスクランブルコードグループとの相関をとることにより、スクランブルコードグループの同定とフレームタイミングの検出を行うことができ、フレーム構成を簡素化すると共に、伝送効率を向上させるができる。
【００５４】
なお、本実施の形態では、隣り合う２本のサブキャリアを１組としてＰＬＣＨのパイロットシンボル（同相・逆相シンボル）及びスクランブルコードを使用しているが、本発明はこれに限らず、１本又は複数本の間隔をあけてサブキャリアを使用してもよい。
【００５５】
また、本実施の形態では、ＰＬＣＨとＴＣＨのスクランブルコードを異なるものとして説明したが、本発明はこれに限らず、ＰＬＣＨとＴＣＨのスクランブルコードを同じものとしてもよい。
【産業上の利用可能性】
【００５６】
本発明にかかるマルチキャリア送信装置、マルチキャリア受信装置及び同期検出方法は、フレーム構成を簡素化すると共に、伝送効率を向上させるという効果を有し、例えば、基地局装置、移動局装置及びマルチキャリア無線通信システムに適用することができる。
【図面の簡単な説明】
【００５７】
【図１】本発明の実施の形態に係るマルチキャリア送信装置の構成を示すブロック図
【図２】図１に示すマルチキャリア送信装置から送信される信号のフレーム構成を示す図
【図３】ＰＬＣＨのスクランブルコードパターンとパイロットシンボルパターンの説明に供する図
【図４】本発明の実施の形態に係るマルチキャリア受信装置の構成を示すブロック図
【図５】図４に示すセルサーチ部の内部構成を示すブロック図
【図６】図５に示すサブキャリア相関部の内部構成を示すブロック図
【図７】特許文献１に記載されたセルサーチ方法の説明に供する図
【符号の説明】
【００５８】
１０１  同相・逆相シンボル生成部
１０２  スクランブルコード生成部
１０３  コピー部
１０４  乗算器
１０５  送信処理部
１０６  多重化部
１０７  フレーム組み立て部
１０８  ＩＦＦＴ部
１０９  ＧＩ挿入部
１１０  無線送信部
１１１、１５１  アンテナ
１５２  無線受信部
１５３  Ａ／Ｄ変換部
１５４  セルサーチ部
１５５、１７２  ＧＩ除去部
１５６、１７３  ＦＦＴ部
１５７  デスクランブル部
１５８  チャネル推定部
１５９  回線補償部
１６０  逆拡散部
１６１  ディジタル復調部
１７１  ＧＩ相関部
１７４  サブキャリア相関部
１７５  スクランブルコード同定部
１８１  遅延部
１８２  複素乗算部
１８３  相関部
１８４  コードグループ同定・フレームタイミング検出部
【図１】
2006074493.tif 000007
【図２】
2006074493.tif 000008
【図３】
2006074493.tif 000009
【図４】
2006074493.tif 000010
【図５】
2006074493.tif 000011
【図６】
2006074493.tif 000012
【図７】
2006074493.tif 000013